(57)【要約】【課題】画角および／または焦点の遠隔操作による調整を可能／不能な状態に切替自在なレンズ装置および当該レンズ装置を備えるレンズシステムを提供する。【解決手段】ズーム群を移動するズーム移動機構３０およびフォーカス群を移動するフォーカス移動機構４０を備えるレンズ装置１００であって、ズーム移動機構を介してズーム群を光軸方向に移動させるズーム駆動部１０と、フォーカス移動機構を介してフォーカス群を光軸方向に移動させるフォーカス駆動部２０と、ズーム駆動部およびフォーカス駆動部を遠隔操作するための操作信号を受信する受信部６０と、ズーム駆動部およびフォーカス駆動部を制御するための制御信号を操作信号に基づいて生成する制御部８０と、制御部に接続され、制御部を介したズーム駆動部およびフォーカス駆動部の制御を可能または不能な状態に手動により切替える切替手段７０、７０ａ；７２、７２ａ〜７２ｃと、を備える。【選択図】図４
2008164815.tif 000002
【特許請求の範囲】
【請求項１】
変倍レンズ群を移動する変倍レンズ移動機構および焦点レンズ群を移動する焦点レンズ移動機構を備えるレンズ装置であって、
前記変倍レンズ移動機構を介して変倍レンズ群を光軸方向に移動させる変倍レンズ駆動部と、
前記焦点レンズ移動機構を介して焦点レンズ群を光軸方向に移動させる焦点レンズ駆動部と、
前記変倍レンズ駆動部および前記焦点レンズ駆動部を遠隔操作するための操作信号を受信する受信部と、
前記変倍レンズ駆動部および前記焦点レンズ駆動部を制御するための制御信号を前記操作信号に基づいて生成する制御部と、
前記制御部に接続され、前記制御部を介した前記変倍レンズ駆動部および前記焦点レンズ駆動部の制御を可能または不能な状態に手動により切替える切替手段と、を備えることを特徴とするレンズ装置。
【請求項２】
変倍レンズ群を移動する変倍レンズ移動機構を備えるレンズ装置であって、
前記変倍レンズ移動機構を介して変倍レンズ群を光軸方向に移動させる変倍レンズ駆動部と、
前記変倍レンズ駆動部を遠隔操作するための操作信号を受信する受信部と、
前記変倍レンズ駆動部を制御するための制御信号を前記操作信号に基づいて生成する制御部と、
前記制御部に接続され、前記制御部を介した前記変倍レンズ駆動部の制御を可能または不能な状態に手動により切替える切替手段と、を備えることを特徴とするレンズ装置。
【請求項３】
焦点レンズ群を移動する焦点レンズ移動機構を備えるレンズ装置であって、
前記焦点レンズ移動機構を介して焦点レンズ群を光軸方向に移動させる焦点レンズ駆動部と、
前記焦点レンズ駆動部を遠隔操作するための操作信号を受信する受信部と、
前記焦点レンズ駆動部を制御するための制御信号を前記操作信号に基づいて生成する制御部と、
前記制御部に接続され、前記制御部を介した前記焦点レンズ駆動部の制御を可能または不能な状態に手動により切替える切替手段と、を備えることを特徴とするレンズ装置。
【請求項４】
前記切替手段が前記変倍レンズ移動機構および前記焦点レンズ移動機構の少なくともいずれかを備えるレンズ鏡筒に近接して配置されることを特徴とする、請求項１〜３のいずれかに記載のレンズ装置。
【請求項５】
前記制御部に供給される動作電源を制御するスイッチが前記切替手段により切替えられることを特徴とする、請求項１〜４のいずれかに記載のレンズ装置。
【請求項６】
前記制御部に供給される動作電源を所定のカウント値に応じて制御するカウンタを備えることを特徴とする、請求項５に記載のレンズ装置。
【請求項７】
前記制御部がコントローラを有し、前記コントローラへの前記操作信号の入力および前記コントローラからの前記制御信号の出力の少なくともいずれかを制御するスイッチが前記切替手段により切替えられることを特徴とする、請求項１〜６のいずれかに記載のレンズ装置。
【請求項８】
前記コントローラへの前記操作信号の入力および前記コントローラからの前記制御信号の出力の少なくともいずれかを所定のカウント値に応じて制御するカウンタを有することを特徴とする、請求項７に記載のレンズ装置。
【請求項９】
前記所定のカウント値を任意に調整可能なカウンタ調整部を有することを特徴とする、請求項６または８に記載のレンズ装置。
【請求項１０】
変倍レンズ群を移動する変倍レンズ移動機構および焦点レンズ群を移動する焦点レンズ移動機構を有するレンズ装置を備えるレンズシステムであって、
前記変倍レンズ移動機構を介して変倍レンズ群を光軸方向に移動させる変倍レンズ駆動部と、前記焦点レンズ移動機構を介して焦点レンズ群を光軸方向に移動させる焦点レンズ駆動部と、切替手段と、を有する、前記レンズ装置と、
前記変倍レンズ駆動部および前記焦点レンズ駆動部を遠隔操作するための操作信号を受信する受信部と、
前記変倍レンズ駆動部および前記焦点レンズ駆動部を制御するための制御信号を前記操作信号に基づいて生成する制御部と、を備え、
前記切替手段が、前記制御部に接続され、前記制御部を介した前記変倍レンズ駆動部および前記焦点レンズ駆動部の制御を可能または不能な状態に手動により切替自在であることを特徴とするレンズシステム。
【発明の詳細な説明】
【技術分野】
【０００１】
本発明は、レンズ装置およびレンズシステムに係り、より詳しくは、変倍レンズ群を移動する変倍レンズ移動機構および／または焦点レンズ群を移動する焦点レンズ移動機構を備えるレンズ装置、および当該レンズ装置を備えるレンズシステムに関する。
【背景技術】
【０００２】
近年、金融業や小売業等の店舗では、ＣＣＤ等からなる監視カメラが多用されている。この種の監視カメラには、固定焦点レンズやズームレンズとともに、画角および焦点を手動で調整可能なバリフォーカルレンズが適用されている。
【０００３】
固定焦点レンズは、焦点調整が可能であるが、画角調整が不能であるので、設置に際しては、複数のレンズを準備し、所望の撮影条件が得られるレンズを選択する必要がある。ズームレンズは、画角調整が可能であり、かつ画角調整を行っても焦点が変化しないレンズ構成であるので、設置に際しては、一度焦点を調整すれば、画角のみを調整することで所望の撮影条件が容易に得られる。一方、バリフォーカルレンズは、画角調整が可能であるが、画角調整を行っても焦点が変化しないレンズ構成を備えないので、設置に際しては、画角を調整する度に焦点を再調整する必要がある。しかし、バリフォーカルレンズは、ズームレンズほど複雑なレンズ構成を備えず製造単価の低減が図れるので、監視カメラ用途に多用されている。
【０００４】
監視カメラの設置は、カメラが店舗の天井や壁面などに設置され、レンズの光軸が所定方向に設定された上で、レンズの画角および焦点が適切に調整されることで完了する。ここで、バリフォーカルレンズの画角および焦点は、従来、レンズ本体に設けられた手動調整部を調整することで行われているが、近年、以下の理由により、遠隔操作による電動調整の要求が生じている。
【０００５】
すなわち、通常、バリフォーカルレンズの焦点は、カメラにモニタを一時的に接続し、モニタに表示される映像を確認しながら調整されるので、特に、高所への設置に際しては、モニタを確認しながらの手動調整に困難を来たす。また、カメラの高画質化に伴って、微妙な調整が要求されるので、焦点の手動調整が困難となる場合がある。さらに、ドーム型監視カメラでは、画角および焦点の調整後にドームが装着されるが、ドームの装着により光路長が変化し、調整された焦点にズレが生じる。よって、焦点の手動調整とドームの着脱とを試行錯誤的に繰返す必要が生じ、監視カメラの設置が困難となる場合がある。
【０００６】
このため、下記特許文献１には、画角および焦点を操作スイッチにより調整可能とし、所定の調整条件を予め設定することで、撮影条件を自動調整する電動バリフォーカルレンズが開示されている。
【０００７】
【特許文献１】特開２００１−２１７８５号公報
【発明の開示】
【発明が解決しようとする課題】
【０００８】
バリフォーカルレンズでは、画角を調整する度に焦点を調整する必要があるが、本来、この調整は設置時にのみ要求されるものであるので、この調整のためにのみズームレンズを伴う高価なシステムを構築する必要性は低い。一方、ズームレンズに比して調整作業の効率性が若干劣るが、赤外線や微弱電波などの遠隔操作による電動調整をバリフォーカルレンズに適用すれば、廉価なシステムが構築可能となる。しかしながら、設置調整後の監視時に誤操作や犯罪者の妨害行為により、調整された画角および焦点を容易に変更される恐れがある。
【０００９】
本発明は、上記問題に鑑みてなされたものであって、その目的は、画角および／または焦点の遠隔操作による調整を可能／不能な状態に切替自在な、新規かつ改良された、レンズ装置および当該レンズ装置を備えるレンズシステムを提供することにある。
【課題を解決するための手段】
【００１０】
上記課題を解決するために、本発明の第１の観点によれば、変倍レンズ群を移動する変倍レンズ移動機構および焦点レンズ群を移動する焦点レンズ移動機構を備えるレンズ装置が提供される。本レンズ装置は、変倍レンズ移動機構を介して変倍レンズ群を光軸方向に移動させる変倍レンズ駆動部と、焦点レンズ移動機構を介して焦点レンズ群を光軸方向に移動させる焦点レンズ駆動部と、変倍レンズ駆動部および焦点レンズ駆動部を遠隔操作するための操作信号を受信する受信部と、変倍レンズ駆動部および焦点レンズ駆動部を制御するための制御信号を操作信号に基づいて生成する制御部と、制御部に接続され、制御部を介した変倍レンズ駆動部および焦点レンズ駆動部の制御を可能または不能な状態に手動により切替える切替手段と、を備える。
【００１１】
かかる構成によれば、変倍レンズおよび焦点レンズ駆動部が遠隔操作用の操作信号に基づいて制御されるので、ズームレンズに適用される制御システムに比して、廉価な制御システムが構築される。また、遠隔操作を可能／不能な状態に手動により切替える切替手段が設けられ、遠隔操作を設置時にのみ可能とし、監視時には不能とすることができるので、監視時の誤操作や犯罪者の妨害行為により、調整された画角および焦点を容易に変更される恐れがない。
【００１２】
また、本発明の第２の観点によれば、変倍レンズ群を移動する変倍レンズ移動機構を備えるレンズ装置が提供される。本レンズ装置は、変倍レンズ移動機構を介して変倍レンズ群を光軸方向に移動させる変倍レンズ駆動部と、変倍レンズ駆動部を遠隔操作するための操作信号を受信する受信部と、変倍レンズ駆動部を制御するための制御信号を操作信号に基づいて生成する制御部と、制御部に接続され、制御部を介した変倍レンズ駆動部の制御を可能または不能な状態に手動により切替える切替手段と、を備える。
【００１３】
かかる構成によれば、変倍レンズ群の遠隔操作を可能／不能な状態に手動により切替える切替手段が設けられ、遠隔操作を設置時にのみ可能とし、監視時には不能とすることができるので、監視時の誤操作や犯罪者の妨害行為により、調整された画角および焦点を容易に変更される恐れがない。
【００１４】
また、本発明の第３の観点によれば、焦点レンズ群を移動する焦点レンズ移動機構を備えるレンズ装置が提供される。本レンズ装置は、焦点レンズ移動機構を介して焦点レンズ群を光軸方向に移動させる焦点レンズ駆動部と、焦点レンズ駆動部を遠隔操作するための操作信号を受信する受信部と、焦点レンズ駆動部を制御するための制御信号を操作信号に基づいて生成する制御部と、制御部に接続され、制御部を介した焦点レンズ駆動部の制御を可能または不能な状態に手動により切替える切替手段と、を備える。
【００１５】
かかる構成によれば、焦点レンズ群の遠隔操作を可能／不能な状態に手動により切替える切替手段が設けられ、遠隔操作を設置時にのみ可能とし、監視時には不能とすることができるので、監視時の誤操作や犯罪者の妨害行為により、調整された画角および焦点を容易に変更される恐れがない。
【００１６】
上記切替手段が変倍レンズ移動機構および焦点レンズ移動機構の少なくともいずれかを備えるレンズ鏡筒に近接して配置されるようにしてもよい。かかる構成によれば、レンズ鏡筒に近接して切替手段が配置されるので、調整された画角および／または焦点を監視時に変更しようとすると、切替手段の切替状況が撮影される。よって、犯罪者の妨害行為を抑止する効果が期待できる。
【００１７】
上記制御部に供給される動作電源を制御するスイッチが切替手段により切替えられるようにしてもよい。かかる構成によれば、制御部に供給される動作電源が切替手段を介して制御されるので、制御部を介した遠隔操作を可能／不能な状態に手動により切替えることができる。
【００１８】
上記制御部に供給される動作電源を所定のカウント値に応じて制御するカウンタを有するようにしてもよい。かかる構成によれば、制御部に供給される動作電源がカウンタを介して制御されるので、制御部を介した遠隔操作を自動的に不能な状態に切替えることができる。
【００１９】
上記制御部がコントローラを有し、コントローラへの操作信号の入力およびコントローラからの制御信号の出力の少なくともいずれかを制御するスイッチが切替手段により切替えられるようにしてもよい。かかる構成によれば、操作信号の入力および制御信号の出力の少なくともいずれかが切替手段を介して制御されるので、制御部を介した遠隔操作を可能／不能な状態に手動により切替えることができる。
【００２０】
上記コントローラへの操作信号の入力およびコントローラからの制御信号の出力の少なくともいずれかを所定のカウント値に応じて制御するカウンタを有するようにしてもよい。かかる構成によれば、操作信号の入力および制御信号の出力の少なくともいずれかがカウンタを介して制御されるので、制御部を介した遠隔操作を不能な状態に自動で切替えることができる。
【００２１】
上記所定のカウント値を任意に調整可能なカウンタ調整部を有するようにしてもよい。かかる構成によれば、所望のカウンタ値が設定可能であるので、設置作業の難易度に応じて、遠隔操作可能な時間を調整することができる。
【００２２】
さらに、本発明の第４の観点によれば、変倍レンズ群を移動する変倍レンズ移動機構および焦点レンズ群を移動する焦点レンズ移動機構を有するレンズ装置を備えるレンズシステムが提供される。本レンズシステムにおいて、レンズ装置は、変倍レンズ移動機構を介して変倍レンズ群を光軸方向に移動させる変倍レンズ駆動部と、焦点レンズ移動機構を介して焦点レンズ群を光軸方向に移動させる焦点レンズ駆動部と、切替手段と、を有する。本レンズシステムは、変倍レンズ駆動部および焦点レンズ駆動部を遠隔操作するための操作信号を受信する受信部と、変倍レンズ駆動部および焦点レンズ駆動部を制御するための制御信号を操作信号に基づいて生成する制御部と、を備える。そして、切替手段が、制御部に接続され、制御部を介した変倍レンズ駆動部および焦点レンズ駆動部の制御を可能または不能な状態に手動により切替自在である。
【発明の効果】
【００２３】
本発明によれば、画角および／または焦点の遠隔操作による調整を可能／不能な状態に切替自在なレンズ装置および当該レンズ装置を備えるレンズシステムが提供される。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図１は、本発明の実施形態に係るバリフォーカルレンズが適用される監視カメラの一例を示す斜視図である。監視カメラ２００、２００’は、ドーム状の外観を有し、基台２０２、ドーム２０４、ドーム２０４の内側で基台２０２に搭載されるカメラ本体、カメラ本体に装着されるレンズ１００、１００’を有する。バリフォーカルレンズ１００、１００’は、基台２０２に対する角度を可変（チルト回転）に、および／または、基台２０２に対して中心線を回転軸として回転可能（パン回転）に装着されうる。
【００２６】
図１に示すように、ドーム２０４の内側では、レンズ１００、１００’にカバー２０６が被せられうる。カバー２０６には、レンズ１００、１００’のチルト回転範囲に対応する開口２０７が設けられる。カバー２０６は、レンズ１００、１００’とともに、基台２０２に対して中心線を回転軸として回転可能に搭載されうる。レンズ１００、１００’を内包するドーム２０４は、レンズ１００、１００’の保護や撮影方向の隠蔽を目的として、少なくともレンズ１００、１００’の撮影範囲およびズームおよびフォーカスリング３３、４３を覆う所定位置に設けられる。
【００２７】
バリフォーカルレンズ１００、１００’の外周には、画角調整のためのズームリング３３と、焦点調整のためのフォーカスリング４３と、が設けられる。ズームおよびフォーカスリング３３、４３は、バリフォーカルレンズ１００、１００’が備えるズームレンズ（群）３６（「変倍レンズ群」に相当する。）およびフォーカスレンズ（群）４６（「焦点レンズ群」に相当する。）の各々の位置に対応して、レンズ１００、１００’の鏡筒の後側（撮影者側）および前側（被写体側）に各々に設けられる。
【００２８】
図２は、本発明の実施形態に係るバリフォーカルレンズを示す分解斜視図、図３は、図２に示すバリフォーカルレンズのレンズ本体を示す光軸沿いの断面図である。なお、図３には、レンズ本体のみが示され、レンズ本体以外の構成要素が省略されている。図２および図３に示すように、本実施形態に係るバリフォーカルレンズ１００、１００’は、レンズ本体、ズーム駆動部１０（「変倍レンズ駆動部」に相当する。）、フォーカス駆動部２０（「焦点レンズ駆動部」に相当する。）、ズームおよびフォーカス駆動部１０、２０を制御する制御部８０、８０’（不図示）などで構成される。
【００２９】
まず、レンズ本体について説明する。レンズ本体は、ズーム移動機構３０（「変倍レンズ移動機構」に相当する。）、フォーカス移動機構４０（「焦点レンズ移動機構」に相当する。）、両移動機構の間に設けられる絞り調整機構５０、および遠隔操作用の操作信号を受信する受信部６０などで構成される。図３に示すように、レンズ本体は固定筒３１、４１を備え、固定筒３１、４１の内部には、レンズ枠３２、４２が配置される。また、固定筒３１、４１の外周には、ズームおよびフォーカスリング３３、４３が配置される。
【００３０】
レンズ枠４２は、固定筒４１の内部で前側（被写体側）に配置され、フォーカスレンズ（群）４６を保持する。レンズ枠４２には、その周面から突出する係合ピン４４が装着される。一方、固定筒４１には、光軸Ｐ方向に直進溝４５が形成され、係合ピン４４が直進溝４５に係合することで、レンズ枠４２およびフォーカスリング４３が、直進溝４５にガイドされて光軸Ｐ方向に直進移動するように構成される。
【００３１】
レンズ枠３２は、固定筒３１の内部でレンズ枠４２の後側（撮影者側）に配置され、ズームレンズ（群）３６を保持する。レンズ枠３２には、その周面から突出する係合ピン３４が装着される。一方、固定筒３１には、光軸方向に直進溝３５が形成され、係合ピン３４が直進溝３５に係合することで、レンズ枠３２およびズームリング３３が、直進溝３５にガイドされて光軸Ｐ方向に直進移動するように構成される。なお、図３には、ズームレンズ（群）３６およびフォーカスレンズ（群）４６が各々に単一のレンズとして構成される場合を示すが、かかる構成に限定されるものではない。
【００３２】
フォーカスリング４３は、レンズ枠４２が配置される部位において、固定筒４１の外周面に回転可能に配置される。フォーカスリング４３の内周面には、光軸Ｐに対して螺旋状にカム溝４７が形成される。レンズ枠４１に装着される係合ピン４４は、フォーカスリング４３のカム溝４７に係合する。よって、フォーカスリング４３を回転操作すると、フォーカスリング４３のカム溝４７と固定筒４１の直進溝４５との交差位置が光軸Ｐ方向に移動するとともに、その交差位置に従って係合ピン４４、レンズ枠４２およびフォーカスレンズ４６が光軸Ｐ方向に移動する。このように、フォーカスリング４３を回転操作することで、フォーカスレンズ４６の設定位置を調整して焦点が調整される。
【００３３】
ズームリング３３は、フォーカスリング４３の後側に配置され、固定筒３１の外周面に回転可能に配置される。また、ズームリング３３には、フォーカスリング４３側に延長部３９が設けられる。延長部３９では、フォーカスリング４３の外周を覆うようにズームリング３３の内径が拡大される。ズームリング３３の内周面には、光軸Ｐに対して螺旋状にカム溝３７が形成される。レンズ枠３１に装着される係合ピン３４は、ズームリング３３のカム溝３７に係合する。よって、ズームリング３３を回転操作すると、ズームリング３３のカム溝３７と固定筒３１の直進溝３５との交差位置が光軸Ｐ方向に移動するとともに、その交差位置に従って係合ピン３４、レンズ枠３１およびズームレンズ３６が光軸Ｐ方向に移動する。このように、ズームリング３３を回転操作することで、ズームレンズ３６の設定位置を調整して画角が調整される。
【００３４】
なお、上記の構成では、固定筒３１、４１に直進溝３５、４５を設け、ズームおよびフォーカスリング３３、４３に螺旋状のカム溝３７、４７を設けているが、固定筒３１、４１に螺旋状のカム溝３７、４７を設け、ズームまたはフォーカリング３３、４３に直線状のカム溝３７、４７を設けるようにしてもよい。また、固定筒３１、４１とズームまたはフォーカスリング３３、４３の双方に螺旋状のカム溝３７、４７を設けるようにしてもよい。
【００３５】
フォーカスリング４３の前側の端部には、外周上にギヤ部４８が設けられ、ギヤ部４８が回転することで、フォーカスリング４３が回転される。また、ズームリング３３の前側の端部にも、外周上にギヤ部３８が設けられ、ギヤ部３８が回転することで、ズームリング３３が回転される。
【００３６】
絞り調整機構５０は、ズーム移動機構３０とフォーカス移動機構４０との間に介装され、絞り調整を行う開閉部（不図示）を内部に有する絞り枠５４と、絞り枠５４を駆動する駆動部５２などで構成される。絞り調整機構５０では、レンズ本体が装着されるカメラに搭載された絞り制御部（不図示）から、ケーブル５６を介して出力される制御信号により、絞り駆動部５２が制御されることで、絞り枠５４の開閉が自動調整される。
【００３７】
固定筒３１の後側には、カメラ本体などにレンズ本体を交換可能に装着するための装着枠６２が設けられる。装着枠６２は、略円筒状に形成され、後端に円環状の装着部６４を備える。装着部６４は、外周面上にネジ部６６が形成され、カメラ本体の装着部（不図示）に形成されたネジ部に係合されることで、レンズ本体をカメラ本体などに交換可能に装着する。
【００３８】
つぎに、ズームおよびフォーカス駆動部について説明する。なお、両駆動部１０、２０は、互いに同様な構成を備えるものであるので、以下では、特にズーム駆動部１０について説明する。
【００３９】
図２に示すように、ズーム駆動部１０は、ズーム移動機構３０に駆動力を供給するモータ１２、モータ１２の駆動力をズームリング３３に伝達する駆動ギヤ１４などで構成される。ここで、モータ１２としては、例えば直流モータなどが適用されるが、かかる場合に限定されるものではない。ズーム駆動部１０は、駆動ギヤ１４がズームリング３３の外周に設けられたギヤ部３８に噛合うように、取付部材１８を介してレンズ本体の取付部（不図示）に装着される。駆動ギヤ１４は、モータ１２の軸１３に固着されるギヤ軸１５を備え、モータ軸１３の回転力がギヤ軸１５を介して駆動ギヤ１４に伝達されることで、駆動ギヤ１４が回転する。
【００４０】
ズームおよびフォーカス駆動部１０、２０は、後述する制御部８０、８０’により駆動制御される。ここで、レンズ本体は、図２に示すように、ズームおよびフォーカスリング３３、４３のギヤ部３８、４８が駆動ギヤ１４、２４に各々に噛合し、ズームおよびフォーカスリング３３、４３を回転可能なように、ズームおよびフォーカス駆動部１０、２０に取付けられる。よって、制御部８０、８０’を介してズーム駆動部１０のモータ１２に駆動電圧が供給されると、モータ１２が作動することで、駆動ギヤ１４およびギヤ部３８を介してズームリング３３に駆動力が伝達され、ズームリング３３が回転する。これにより、ズームリング３３の回転運動がズーム移動機構３０を介してズームレンズ３６の直進運動に変換されることで、ズームが電動で調整可能となる。
【００４１】
つぎに、本発明に係るレンズ装置のズームおよびフォーカス駆動部を遠隔操作するための操作信号を受信する受信部について説明する。受信部６０は、例えば赤外線や微弱電波など、リモコン装置などから送信される遠隔操作用の信号を受信する。なお、ドーム型監視カメラの場合、受信部６０への操作信号の入力がドーム２０４により遮蔽されることがないように、ドーム２０４の材質や構造形式を選定するなど、必要な措置が図られる。
【００４２】
つぎに、本発明に係るレンズ装置のズームおよびフォーカス駆動部を制御する制御部について説明する。図４は、本発明の第１の実施形態に係る制御部の構成を模式的に示すブロック図である。
【００４３】
図４に示すように、本実施形態に係る制御部８０は、モータ１２、２２を各々に駆動する第１および第２モータ駆動部８６ａ、８６ｂ、モータ１２、２２の駆動を各々に制御する第１および第２モータ制御部８４ａ、８４ｂ、モータ制御部８４ａ、８４ｂを含む制御部８０全体を制御するコントローラ８２などで構成される。制御部８０は、電源制御部９０を備え、カメラなどの外部電源２１０から電源制御部９０を介して供給される動作電源により、コントローラ８２およびモータ駆動部８６ａ、８６ｂなどを作動させる。制御部８０は、受信制御部８８を備え、受信部６０から受信制御部８８を介して入力される操作信号の入力を制御する。
【００４４】
コントローラ８２は、受信制御部８８およびモータ制御部８４ａ、８４ｂに接続され、受信制御部８８を介して入力された操作信号に応じて、制御信号を生成し、モータ制御部８４ａ、８４ｂに出力する。第１および第２モータ制御部８４ａ、８４ｂは、コントローラ８２から入力された制御信号に応じて、モータ１２、２２を駆動するための駆動信号を生成し、モータ駆動部８６ａ、８６ｂに出力する。第１および第２モータ駆動部８６ａ、８６ｂは、モータ制御部８４ａ、８４ｂから入力された駆動信号に応じて、モータ１２、２２の回転方向や回転速度を決定し、モータ１２、２２を回転させる駆動電圧を発生する。
【００４５】
制御部８０は、例えば図２（ａ）に示すように、ズームおよびフォーカス駆動部１０、２０の取付部１８の裏側に設けられ、レンズ鏡筒に近接して配置される切替スイッチ７０または７２とともに、切替手段を構成し、遠隔操作を可能または不能な状態に切替えるスイッチを備える。すなわち、切替スイッチ７０または７２を手動により切替えることで、制御部８０のスイッチが電気的に開閉される。
【００４６】
ここで、スイッチは、電源制御部９０に設けられ、電源制御部９０からコントローラ８２およびモータ駆動部８６ａ、８６ｂの少なくともいずれかに供給される動作電源を遮断する第１スイッチ７０ａとして構成される。また、スイッチは、受信制御部８８を通過する操作信号、およびモータ制御部８４ａ、８４ｂを通過する駆動信号の少なくともいずれかを遮断する第２スイッチ７２ａ〜７２ｃとして構成されるようにしてもよい。
【００４７】
なお、図４は、切替スイッチ７０または７２と、第１または第２スイッチ７０ａ、７２ａ〜７２ｂとが直接接続される場合を示すが、切替スイッチ７０または７２と、第１または第２スイッチ７０ａ、７２ａ〜７２ｂとが、コントローラ８２を介して接続されるようにしてもよい。
【００４８】
また、図４には、切替スイッチ７０および第１スイッチ７０ａの切替手段とともに、切替スイッチ７２および第２スイッチ７２ａ〜７２ｃの切替手段を構成要素とするレンズ１００が示される。なお、この場合、切替スイッチ７０と切替スイッチ７２とは、同一の切替スイッチとして設けるようにしてもよい。しかし、構成要素として、両方の切替手段が含まれるようにしてもよいが、以下では、いずれかの切替手段が含まれる場合について説明する。
【００４９】
また、図４では、切替スイッチ７２がモータ制御部８４ａ、８４ｂおよび受信制御部８８に接続され、第１スイッチ７２ａ、７２ｂおよび第１スイッチ７２ｃを開閉する構成が示される。しかし、切替スイッチ７２は、第１スイッチ７２ａ、７２ｂまたは第１スイッチ７２ｃのいずれかを開閉する構成を有するようにしてもよい。
【００５０】
以下、本実施形態に係るバリフォーカスレンズを備えた監視カメラの設置手順について説明する。設置に際して、監視カメラ２００が店舗の天井や壁面などに設置され、レンズ１００の光軸Ｐが所定方向に設定された状態で、切替スイッチ７０または７２が手動によりＯＮされる。なお、ドーム型監視カメラの場合、ドーム装着による光路長の変化を予め考慮して、この時点でドーム２０４がカメラ側に装着される。切替スイッチ７０または７２がＯＮされると、制御部８０のスイッチが閉成される。
【００５１】
ここで、切替スイッチ７０が設けられていれば、第１スイッチ７０ａが閉成されることで、コントローラ８２およびモータ駆動部８６ａ、８６ｂへの動作電源の供給が可能となる。また、切替スイッチ７２が設けられていれば、第２スイッチ７２ａ〜７２ｃが閉成されることで、コントローラ８２への操作信号の入力、および／またはモータ制御部８４ａ、８４ｂからの駆動信号の出力が可能となる。これにより、操作信号による画角および焦点の遠隔操作が可能な状態となる。
【００５２】
設置者は、カメラに接続されたモニタに表示される映像を確認しながら、リモコン装置の操作により、画角および焦点を調整する。リモコン装置の操作により出力される操作信号は、レンズ本体に設けられた受信部６０を介して制御部８０に入力される。制御部８０に入力された操作信号は、受信制御部８８を介してコントローラ８２に入力される。
【００５３】
コントローラ８２は、受信部６０を介して入力された操作信号に応じて、制御信号を生成し、モータ制御部８４ａ、８４ｂに出力する。第１および第２モータ制御部８４ａ、８４ｂは、コントローラ８２から入力された制御信号に応じて、モータ１２、２２を駆動するための駆動信号を生成し、モータ駆動部８６ａ、８６ｂに出力する。第１および第２モータ駆動部８６ａ、８６ｂは、モータ制御部８４ａ、８４ｂからの駆動信号に応じて、モータ１２、２２の作動条件を決定し、モータ１２、２２を回転させる駆動電圧を発生させる。
【００５４】
そして、制御部８０からズームおよびフォーカス駆動部１０、２０のモータ１２、２２に駆動電圧が入力されると、モータ１２、２２が作動することで、駆動ギヤ１４、２４を介してズームおよびフォーカスリング３３、４３に駆動力が伝達され、ギヤ部３８、４８が回転する。これにより、ギヤ部３８、４８の回転運動がズームおよびフォーカス移動機構３０、４０を介してズームおよびフォーカスレンズ３６、４６の直進運動に変換されることで、ズームまたはフォーカスが電動で調整される。
【００５５】
一方、設置の完了に際して、切替スイッチ７０または７２が手動によりＯＦＦされる。なお、ドーム型監視カメラの場合、切替スイッチ７０または７２の切替前にドーム２０４が外され、切替後にドーム２０４が再び装着される。切替スイッチ７０または７２がＯＦＦされると、制御部８０のスイッチが開成される。
【００５６】
ここで、切替スイッチ７０が設けられていれば、第１スイッチ７０ａが開成されることで、コントローラ８２およびモータ駆動部８６ａ、８６ｂへの動作電源の供給が遮断される。また、切替スイッチ７２が設けられていれば、第２スイッチ７２ａ〜７２ｃが開成されることで、コントローラ８２への操作信号の入力、および／またはモータ制御部８４ａ、８４ｂからの駆動信号の出力が遮断される。これにより、操作信号による画角および焦点の遠隔操作が不能な状態となる。
【００５７】
第１スイッチ７０ａが開成されると、外部電源２１０から制御部８０への電源供給が遮断され、よって、外部電源２１０からの電源供給が不要となる。一方、第２スイッチ７２ａ〜７２ｃが開成されると、操作信号や駆動信号が遮断されるが、外部電源２１０から制御部８０への電源供給が維持される。
【００５８】
設置の完了後に、画角および焦点を再び調整する場合には、切替スイッチ７０または７２が手動によりＯＮされ、設置時と同様の設置手順が繰返される。なお、ドーム型監視カメラの場合、切替スイッチ７０または７２の手動切替えのために、切替前にドーム２０４が外される。
【００５９】
以上、説明したように本実施形態によれば、ズームおよびフォーカス駆動部１０、２０が遠隔操作用の操作信号に基づいて制御されるので、ズームレンズに適用される制御システムに比して、廉価な制御システムが構築される。また、遠隔操作を可能／不能な状態に手動により切替える切替手段７０および７０ａ、または７２および７２ａ〜７２ｃが設けられ、遠隔操作を設置時にのみ可能な状態とし、監視時には不能な状態とすることができるので、監視時の誤操作や犯罪者の妨害行為により、調整された画角および焦点を容易に変更される恐れがない。
【００６０】
また、レンズ鏡筒に近接して配置される切替手段７０および７０ａ、または７２および７２ａ〜７２ｃが設けられるので、調整された画角および焦点を監視時に変更しようとすると、切替手段７０または７２の切替状況が撮影される。よって、犯罪者の妨害行為を抑止する効果が期待できる。
【００６１】
また、操作信号の入力および制御信号の出力の少なくともいずれか、あるいは制御部８０に供給される動作電源が切替手段７０および７２ａ、または７２および７２ａ〜７２ｃを介して制御されるので、制御部８０を介した遠隔操作を可能／不能な状態に手動により切替えることができる。
【００６２】
図５は、本発明の第２の実施形態に係る制御部の構成を模式的に示すブロック図である。以下、図５を参照することにより、本実施形態について説明する。なお、本実施形態の説明において、第１の実施形態と同様な構成要素についての重複説明は省略する。
【００６３】
図５に示すように、本実施形態に係る制御部８０’は、切替スイッチ７０または７２の代わりに、レンズ鏡筒に近接して配置されるリセットスイッチ７４または７６とともに、切替手段を構成し、遠隔操作を可能または不能な状態に切替えるスイッチを備える。すなわち、リセットスイッチ７４または７６を手動により操作することで、制御部８０’のスイッチが電気的に閉成される。
【００６４】
ここで、スイッチは、電源制御部９０に設けられ、電源制御部９０からコントローラ８２およびモータ駆動部８６ａ、８６ｂの少なくともいずれかに供給される動作電源を遮断する第１スイッチ７４ａとして構成される。また、スイッチは、受信制御部８８を通過する操作信号、およびモータ制御部８４ａ、８４ｂを通過する駆動信号の少なくともいずれかを遮断する第２スイッチ７６ａ〜７６ｃとして構成されるようにしてもよい。
【００６５】
なお、図５は、リセットスイッチ７４または７６と、第１または第２スイッチ７４ａ、７６ａ〜７６ｂとが直接接続される場合を示すが、リセットスイッチ７４または７６と、第１または第２スイッチ７４ａ、７６ａ〜７６ｂとが、コントローラ８２’を介して接続されるようにしてもよい。
【００６６】
また、図５には、リセットスイッチ７４および第１スイッチ７４ａの切替手段とともに、リセットスイッチ７４および第２スイッチ７４ａ〜７４ｃの切替手段を構成要素とするレンズ１００’が示される。なお、この場合、リセットスイッチ７４とリセットスイッチ７６とは、同一のリセットスイッチとして設けるようにしてもよい。しかし、構成要素として、両方の切替手段が含まれるようにしてもよいが、以下では、いずれかの切替手段が含まれる場合について説明する。
【００６７】
また、図５では、リセットスイッチ７４がモータ制御部８４ａ、８４ｂおよび受信制御部８８に接続され、第１スイッチ７４ａ、７４ｂおよび第１スイッチ７４ｃを開閉する構成が示される。しかし、リセットスイッチ７４は、第１スイッチ７４ａ、７４ｂまたは第１スイッチ７４ｃのいずれかを開閉する構成を有するようにしてもよい。
【００６８】
また、制御部８０’のコントローラ８２’には、所定の時間を計測するためのカウンタ７８が内蔵される。なお、カウンタ７８は、コントローラ８２’に内蔵される代わりに、コントローラ８２’に接続された別の構成要素として設けられるようにしてもよい。カウンタ７８は、第１または第２スイッチ７４ａ、７６ａ〜７６ｃに連動しており、スイッチが閉成されると、カウントを開始し、カウント値が所定値に達すると、スイッチを開成するように作動する。ここで、第１または第２スイッチ７４ａ、７６ａ〜７６ｃの閉成から開成までに要する所定のカウント値は、固定値として設定される。
【００６９】
一方、制御部８２’が所定のカウント値を任意に調整可能なカウント調整部７９ａを備えるようにしてもよい。この場合、制御部８０’は、例えば、調整ダイヤル７９やディップスイッチなどとともに、調整手段を構成し、カウンタに予め設定された所定のカウント値を任意に調整するカウント調整部７９ａを備える。すなわち、調整ダイヤル７９などを調整することで、第１または第２スイッチ７４ａまたは７６ａ〜７６ｃの閉成から開成までの時間が任意に調整される。
【００７０】
以下、本実施形態に係るバリフォーカスレンズ１００’を備えた監視カメラ２００’の設置手順について説明する。設置に際して、リセットスイッチ７４または７６が操作される前の時点で、必要に応じて、予め設定された所定のカウント値が調整ダイヤル７９などにより任意に調整される。そして、リセットスイッチ７４または７６が手動により操作されると、制御部８０’の第１または第２スイッチ７４ａまたは７６ａ〜７６ｃが閉成される。なお、ドーム型監視カメラの場合、ドーム装着による光路長の変化を予め考慮して、この時点でドーム２０４がカメラ側に装着される。
【００７１】
ここで、リセットスイッチ７４が設けられていれば、第１スイッチ７４ａが閉成されることで、コントローラ８２’およびモータ駆動部８６ａ、８６ｂへの動作電源の供給が可能となる。また、リセットスイッチ７６が設けられていれば、第２スイッチ７６ａ〜７６ｃが閉成されることで、コントローラ８２’への操作信号の入力、および／またはモータ制御部８４ａ、８４ｂからの駆動信号の出力が可能となる。これにより、操作信号による画角および焦点の遠隔操作が可能な状態となる。
【００７２】
リセットスイッチ７４または７６が操作されるとともに、カウンタ７８がカウントを開始する。設置者は、リモコン装置の操作により、画角および焦点を調整する。
【００７３】
一方、カウンタ７８のカウント値が所定値に達すると、カウンタ７８に連動する第１または第２スイッチ７４ａまたは７６ａ〜７６ｃが開成される。第１または第２スイッチ７４ａまたは７６ａ〜７６ｃが開成されることで、画角および焦点が操作信号により遠隔操作不能となる。なお、ドーム型監視カメラの場合、切替スイッチ７０または７２に相当するリセットスイッチ７４または７６の操作が不要であるので、ドーム２０４の着脱が不要となる。
【００７４】
設置の完了後に、画角および焦点を再び調整する場合には、リセットスイッチ７４または７６が手動により操作され、設置時と同様の設置手順が繰返される。なお、ドーム型監視カメラの場合、リセットスイッチ７４または７６の操作のために、操作前にドーム２０４が外される。
【００７５】
以上、説明したように本実施形態によれば、操作信号の入力および制御信号の出力の少なくともいずれか、あるいは制御部８０’に供給される動作電源がカウンタ７８を介して制御されるので、制御部８０’を介した遠隔操作を不能な状態に自動で切替えることができる。これにより、ドーム型監視カメラの場合、画角および焦点の調整後に、リセットスイッチ７４または７６の操作が不要となるので、ドーム２０４の着脱も不要となる。
【００７６】
また、カウンタ調整部７９ａを介して、所望のカウンタ値が設定可能であるので、設置作業の難易度に応じて、遠隔操作可能な時間を調整することができる。
【００７７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７８】
例えば、前述の実施形態では、レンズ１００、１００’がズームおよびフォーカス駆動部１０、２０およびズームおよびフォーカス移動機構３０、４０を備える場合が説明された。しかしながら、本発明の適用対象は、かかる場合に限定されるものではなく、例えば、レンズ１００、１００’がズーム駆動部１０およびズーム移動機構３０を備えフォーカス駆動部２０およびフォーカス移動機構４０を備えない場合、またはフォーカス駆動部２０およびフォーカス移動機構４０を備えズーム駆動部１０およびズーム移動機構３０を備えない場合においても、同様に適用可能なものである。
【００７９】
また、前述の説明では、レンズ１００、１００’がバリフォーカルレンズである場合の実施形態が例示されているが、本発明の適用対象は、かかる場合に限定されるものではない。すなわち、本発明は、レンズ１００、１００’が、例えば、画角が固定で焦点調整のみを要する固定焦点レンズや画角および焦点調整を要するズームレンズに適用される場合においても、同様に適用可能なものである。
【００８０】
例えば、前述の説明では、バリフォーカルレンズ１００、１００’がズームおよびフォーカス移動機構３０、４０、ズームおよびフォーカス駆動部１０、２０、受信部６０、制御部８０、８０’および切替手段などを有する場合が例示されている。しかしながら、本発明の適用対象は、かかる場合に限定されるものではなく、例えば受信部や制御部など上記構成要素の一部が、レンズの代わりにカメラ本体に備えられるようなレンズシステムにおいても、同様に適用可能なものである。
【００８１】
また、前述の説明では、第１または第２スイッチ７０ａ、７２ａ〜７２ｃ、７４ａ、７６ａ〜７６ｃが制御部８０、８０’内に設けられる場合の実施形態が例示されているが、本発明の適用対象は、かかる場合に限定されるものではない。すなわち、本発明は、例えば、第１または第２スイッチ７０ａ、７２ａ〜７２ｃ、７４ａ、７６ａ〜７６ｃが制御部８０、８０’と受信部６０との間、制御部８０、８０’と駆動部１０、２０との間、または制御部８０、８０’もしくは駆動部１０、２０と外部電源２１０との間に設けられる場合においても、同様に適用可能なものである。
【００８２】
また、前述の説明では、バリフォーカルレンズ１００、１００’がドーム型監視カメラに適用される場合の実施形態が例示されているが、本発明の適用対象は、かかる場合に限定されるものではない。すなわち、本発明は、ドーム型に限定されない各種監視カメラ、または監視カメラ以外のカメラ装置においても、同様に適用可能なものである。
【００８３】
また、前述の説明では、ズームおよびフォーカスレンズ駆動部１０、２０の駆動力がギヤ機構を介してズームおよびフォーカス移動機構３０、４０に伝達される場合の実施形態が例示されているが、本発明の適用対象は、かかる場合に限定されるものではない。すなわち、本発明は、ギヤ機構の代わりに、例えば、ベルト機構などを介する場合においても、同様に適用可能なものである。
【図面の簡単な説明】
【００８４】
【図１】本発明の実施形態に係るバリフォーカルレンズが適用される監視カメラの一例を示す斜視図である。
【図２】本発明の実施形態に係るバリフォーカルレンズを示す分解斜視図である。
【図３】図１に示すバリフォーカルレンズのレンズ本体を示す光軸沿いの断面図である。
【図４】本発明の第１の実施形態に係る制御部の構成を模式的に示すブロック図である。
【図５】本発明の第２の実施形態に係る制御部の構成を模式的に示すブロック図である。
【符号の説明】
【００８５】
１０    ズーム駆動部
２０    フォーカス駆動部
３０    ズーム移動機構
４０    フォーカス移動機構
６０    受信部
５０    絞り調整機構
７０、７２    切替スイッチ
７４、７６    リセットスイッチ
７０ａ、７４ａ    スイッチ１
７２ａ〜７２ｃ、７６ａ〜７６ｃ    スイッチ２
７８    カウンタ
７９    調整ダイヤル
７９ａ    カウンタ調整部
８０、８０’    制御部
８２、８２’    コントローラ
８４ａ、８４ｂ    モータ制御部
８６ａ、８６ｂ    モータ駆動部
８８    受信制御部
９０    電源制御部
１００、１００’    バリフォーカルレンズ
２１０    外部電源
【図１】
2008164815.tif 000003
【図２】
2008164815.tif 000004
【図３】
2008164815.tif 000005
【図４】
2008164815.tif 000006
【図５】
2008164815.tif 000007